(57)【要約】【課題】収容部に外カバーと取り付けた後に、第１導電部材及び第２導電部材の接続を行うことができ、気密処理、組み付けが容易となる電池パックを提供する。【解決手段】第３ロアモジュールバスバ２６が、ロアモジュール２に取り付けられ、電池２１に電気的に接続され、ターミナルバスバ３３が、アッパカバー３に取り付けられ、ターミナルに電気的に接続されている。また、アッパカバー３１には、貫通孔３１２Ａが設けられ、貫通孔３１２Ａを通るボルト４によって第３ロアモジュールバスバ２６とターミナルバスバ３３とが電気的に接続されている。【選択図】図１
2019114429.tif 000002
【特許請求の範囲】
【請求項１】
電池と、
前記電池を収容する収容部と、
前記収容部を覆い、外部端子が取り付けられる外カバーと、
前記収容部に取り付けられ、前記電池に電気的に接続された第１導電部材と、
前記外カバーに取り付けられ、前記外部端子に電気的に接続された第２導電部材と、を備え、
前記外カバーには、第１貫通孔が設けられ、
前記第１貫通孔を通る第１ボルトによって前記第１導電部材と前記第２導電部材とが電気的に接続されることを特徴とする電池パック。
【請求項２】
前記収容部は、前記電池を収容する収容部本体と、前記収容部本体の前記外カバー側を覆う中カバーと、を有し、
前記中カバーには、前記第１ボルトを螺合する第１ネジ孔が設けられ、
前記第１導電部材は、前記中カバー上の前記外カバー側に配置され、
前記第１ボルトは、前記第１導電部材及び前記第２導電部材を貫通した状態で前記第１ネジ孔に螺合して、前記第１導電部材及び前記第２導電部材を接続することを特徴とする請求項１に記載の電池パック。
【請求項３】
前記電池に取り付けられた第３導電部材をさらに備え、
前記中カバーは、第２貫通孔が設けられ、
前記第３導電部材は、前記第２貫通孔を通って前記外カバー側に突出し、
前記第１導電部材は、前記中カバーから前記外カバー側に突出した前記第３導電部材に直接又は間接的に接続されていることを特徴とする請求項２に記載の電池パック。
【請求項４】
前記第１導電部材は、一対の第２ネジ孔が設けられた電気部品であり、
前記第１ボルトは、前記第２導電部材を貫通した状態で前記電気部品の一対の第２ネジ孔の一方に螺合して、前記第２導電部材及び前記電気部品を接続することを特徴とする請求項１に記載の電池パック。
【請求項５】
前記電池に取り付けられた第３導電部材をさらに備え、
前記収容部は、前記電池を収容する収容部本体と、前記収容部本体の外カバー側を覆う中カバーと、を有し、
前記中カバーは、第２貫通孔が設けられ、
前記第３導電部材は、前記第２貫通孔を通って前記外カバー側に突出し、
前記電気部品は、前記中カバーから前記外カバー側に突出した第３導電部材を貫通した状態で第２ボルトを前記一対の第２ネジ孔の他方に螺合することにより、前記第３導電部材に接続されることを特徴とする請求項４に記載の電池パック。
【請求項６】
前記電気部品は、前記第２ネジ孔が前記中カバーと平行方向になるように前記中カバーに搭載され、
前記外カバーは、外側に突出する突出部が設けられ、前記突出部の側面に前記第１貫通孔が設けられていることを特徴とする請求項５に記載の電池パック。
【発明の詳細な説明】
【技術分野】
【０００１】
本発明は、電池パックに関する。
【背景技術】
【０００２】
上述した電池パックの一例として、例えば、特許文献１、２に記載された電池が提案されている。特許文献１、２に記載された電池は、気密を図るため、外部と接続するためのボルト（外部端子）と、電池本体の電極に接続するためのバスバと、を蓋部に一体成型している。このため、電池本体をケース本体に収容する前に、電池本体の電極とバスバとを接続し、蓋部が取り付けられた状態の電池本体をケース本体に収容するため、組み付けが容易でない、という問題があった。
【０００３】
また、蓋部をケース本体に取り付けた後、外部端子を取り付けることも考えられる。しかし、この場合、外部端子と蓋部との気密処理が困難となる、という問題があった。
【先行技術文献】
【特許文献】
【０００４】
【特許文献１】特開２０１３−４４４３号公報
【特許文献２】特開２０１６−１０５４１１号公報
【発明の概要】
【発明が解決しようとする課題】
【０００５】
本発明は、以上の背景に鑑みてなされたものであり、気密処理、組み付けが容易な電池パックを提供することを目的としている。
【課題を解決するための手段】
【０００６】
本発明の電池パックは、電池と、前記電池を収容する収容部と、前記収容部を覆い、外部端子が取り付けられる外カバーと、前記収容部に取り付けられ、前記電池に電気的に接続された第１導電部材と、前記外カバーに取り付けられ、前記外部端子に電気的に接続された第２導電部材と、を備え、前記外カバーには、第１貫通孔が設けられ、前記第１貫通孔を通る第１ボルトによって前記第１導電部材と前記第２導電部材とが電気的に接続されることを特徴とする。
【０００７】
また、前記収容部は、前記電池を収容する収容部本体と、前記収容部本体の前記外カバー側を覆う中カバーと、を有し、前記中カバーには、前記第１ボルトを螺合する第１ネジ孔が設けられ、前記第１導電部材は、前記中カバー上の前記外カバー側に配置され、前記第１ボルトは、前記第１導電部材及び前記第２導電部材を貫通した状態で前記第１ネジ孔に螺合して、前記第１導電部材及び前記第２導電部材を接続してもよい。
【０００８】
また、前記電池に取り付けられた第３導電部材をさらに備え、前記中カバーは、第２貫通孔が設けられ、前記第３導電部材は、前記第２貫通孔を通って前記外カバー側に突出し、前記第１導電部材は、前記中カバーから前記外カバー側に突出した前記第３導電部材に直接又は間接的に接続されていてもよい。
【０００９】
また、前記第１導電部材は、一対の第２ネジ孔が設けられた電気部品であり、前記第１ボルトは、前記第２導電部材を貫通した状態で前記電気部品の一対の第２ネジ孔の一方に螺合して、前記第２導電部材及び前記電気部品を接続してもよい。
【００１０】
また、前記電池に取り付けられた第３導電部材をさらに備え、前記収容部は、前記電池を収容する収容部本体と、前記収容部本体の外カバー側を覆う中カバーと、を有し、前記中カバーは、第２貫通孔が設けられ、前記第３導電部材は、前記第２貫通孔を通って前記外カバー側に突出し、前記電気部品は、前記中カバーから前記外カバー側に突出した第３導電部材を貫通した状態で第２ボルトを前記一対の第２ネジ孔の他方に螺合することにより、前記第３導電部材に接続されていてもよい。
【００１１】
また、前記電気部品は、前記第２ネジ孔が前記中カバーと平行方向になるように前記中カバーに搭載され、前記外カバーは、外側に突出する突出部が設けられ、前記突出部の側面に前記第１貫通孔が設けられていてもよい。
【発明の効果】
【００１２】
以上説明したように発明によれば、収容部に外カバーを取り付けた後に、第１導電部材及び第２導電部材を接続して、外部端子と電池とを電気的に接続することができる。このため、気密処理、組み付けが容易となる。
【図面の簡単な説明】
【００１３】
【図１】第１実施形態における電池パックの断面図である。
【図２】図１に示す電池パックの分解断面図である。
【図３】第２実施形態における電池パックの断面図である。
【図４】図３に示す電池パックの分解断面図である。
【発明を実施するための形態】
【００１４】
（第１実施形態）
以下、本発明の第１実施形態を図１及び図２に基づいて説明する。同図に示すように、電池パック１は、ロアモジュール２と、アッパモジュール３と、ボルト４と、Ｏリング５と、絶縁カバー６と、を備えている。まず、ロアモジュール２について説明する。ロアモジュール２は、電池としての電池２１と、収容部としてのロアカバー２２と、電気部品としての遮断器２３と、第１〜第３ロアモジュールバスバ２４〜２６と、ボルト２７、２８と、を有している。
【００１５】
電池２１は、箱型に設けられ、図中の左右方向に複数並べて後述するロアカバー２２に収容されている。これら電池２１の上面には、それぞれ一対電極（正極、負極）が設けられている。隣り合う電池２１の電極同士を第１ロアモジュールバスバ２４により接続すると、複数の電池２１は直列に接続される。
【００１６】
ロアカバー２２は、合成樹脂などの絶縁部材から構成され、複数の電池２１を収容するロアカバー本体２２１と、ロアカバー本体２２１を覆う中カバーとしてのインナカバー２２２と、を有している。ロアカバー本体２２１は、底壁２２１Ａと、底壁２２１Ａの周縁から図中の上下方向上側に向かって立設する周壁２２１Ｂと、を有し、上方が開口された受け皿状に形成されている。
【００１７】
上述した電池２１は、上記電極がロアカバー本体２２１の開口に向くようにロアカバー本体２２１の底壁２２１Ａ上に配置されている。底壁２２１Ａは、例えば左右方向に長尺の矩形状に形成されている。周壁２２１Ｂは、矩形状の底壁２２１Ａの全周縁から立設して設けられ、電池２１の高さよりも少し高い。
【００１８】
インナカバー２２２は、底壁２２１Ａと同様に左右方向に長尺の矩形板状に設けられている。インナカバー２２２は、ロアカバー本体２２１の上方に設けた開口を覆うように周壁２２１Ｂの内側に係止や接着などにより取り付けられる。また、インナカバー２２２には、後述する第３導電部材としての第２ロアモジュールバスバ２５が挿入される第２貫通孔としての貫通孔２２２Ａと、後述するボルト４が螺合される金属製の第１ネジ孔としてのインサートナット２２Ｂと、が設けられている。貫通孔２２２Ａは、インナカバー２２２を上下方向に貫通して設けられている。インサートナット２２２Ｂも、そのネジ孔がインナカバー２２２を上下方向に貫通するようにインサート成形されている。
【００１９】
遮断器２３は、電池２１に過電流が流れると溶断して過電流を遮断する電気部品である。遮断器２３は、インナカバー２２２上方に配置され、左右方向に相対する面にそれぞれ接続部２３１、２３２が設けられている。この一対の接続部２３１、２３２には、後述する第２、第３ロアモジュールバスバ２５、２６をネジ止めするためのネジ孔（第２ネジ孔）が設けられている。即ち、一対のネジ孔は、左右方向に沿って設けられている。
【００２０】
第１ロアモジュールバスバ２４は、複数設けられ、隣り合う電池２１の電極同士を接続することにより、複数の電池２１を直列に接続する。
【００２１】
第２ロアモジュールバスバ２５は、左右方向一端（本実施形態では左端）に配置された電池２１の電極に取り付けられている。第２ロアモジュールバスバ２５は、電池２１の電極に重ねられる第１導電部２５Ａと、第１導電部２５Ａの左端から上下方向上側に向かって立設する第２導電部２５Ｂと、を有し、略Ｌ字状に形成される。第２導電部２５Ｂは、インナカバー２２２に設けた貫通孔２２２Ａを通ってインナカバー２２２の上方に突出する。
【００２２】
インナカバー２２２の上方に突出した第２導電部２５Ｂは、遮断器２３の左側の接続部２３１に重ねられる。この第２導電部２５Ｂには、ボルト２７を貫通するための貫通孔２５Ｂ１が設けられている。本実施形態では、貫通孔２５Ｂ１は、左右方向に貫通して設けられている。この貫通孔２５Ｂ１が左側の接続部２３１に設けたネジ孔に重ねられる。そして、ボルト２７を、貫通孔２５Ｂ１に挿入した状態で接続部２３１のネジ孔に螺合させると、第２ロアモジュールバスバ２５と遮断器２３とを電気的に接続することができる。
【００２３】
第１導電部材としての第３ロアモジュールバスバ２６は、インナカバー２２２上方に重ねられる第３導電部２６Ａと、第３導電部２６Ａの左端から上下方向上側に向かって立設し、遮断器２３の右側の接続部２３２に重ねられる第４導電部２６Ｂと、有し、略Ｌ字状に形成される。第３導電部２６Ａには、インサートナット２２２Ｂに重なる部分にボルト４を通すための貫通孔２６Ａ１が上下方向に貫通して設けられている。第４導電部２６Ｂには、ボルト２８を貫通するための貫通孔２６Ｂ１が設けられている。
【００２４】
本実施形態では、貫通孔２６Ｂ１は、左右方向に貫通して設けられている。この貫通孔２６Ｂ１が右側の接続部２３２に設けたネジ孔に重ねられる。そして、ボルト２８を、貫通孔２６Ｂ１に挿入した状態で接続部２３２のネジ孔に螺合させると、第３ロアモジュールバスバ２６と遮断器２３とを電気的に接続することができる。
【００２５】
次に、アッパモジュール３について説明する。アッパモジュール３は、外カバーとしてのアッパカバー３１と、ターミナル３２と、ターミナルバスバ３３（第２導電部材）と、ボルト３４と、を備えている。
【００２６】
アッパカバー３１は、合成樹脂などの絶縁部材から構成され、インナカバー２２２を覆うようにロアカバー本体２２１に取り付けられる。アッパカバー３１は、上下２段に配置される上壁３１１、３１２と、上壁３１１、３１２同士を連結する側壁３１３と、上壁３１１、３１２の周縁から立設する周壁３１４と、を有し、下方が開口された受け皿状に形成されている。上壁３１１は、遮断器２３に対向する、即ち左側の上壁３１１が上側、右側の上壁３１２が下側になるように上下２段に配置される。下側の上壁３１２にターミナル３２が周知の気密処理を用いて気密に設けられている。また、ターミナル３２は、軸周りに回転しないように周知の供回り対策が行われている。この上壁３１１、上壁３１１から立設する周壁３１４及び側壁３１３で、外側に突出する突出部３１５を構成している。
【００２７】
また、下側の上壁３１２には、後述するボルト４を挿入するための貫通孔３１２Ａが上下方向に貫通して設けられている。樹脂製のアッパカバー３１にボルト４を締結すると、アッパカバー３１にクリープが発生し、締結力が変化する。そこで、この貫通孔３１２Ａには、リング状の金属カラー３１２Ｂが嵌め込まれている。ターミナルバスバ３３は、上壁３１２の下方に重ねられる。ターミナルバスバ３３には、ターミナル３２に重なる部分にボルト３４を通すための貫通孔３３Ａが設けられている。
【００２８】
上述したボルト３４を、貫通孔３３Ａに挿入した状態で、ターミナル３２に設けたネジ孔に螺合すると、ターミナルバスバ３３とターミナル３２とを電気的に接続することができる。また、ターミナルバスバ３３には、ボルト３４によりターミナル３２と接続した状態で、アッパカバー３１に設けた貫通孔３１２Ａと重なる位置に貫通孔３３Ｂが設けられている。
【００２９】
ボルト４は、アッパカバー３１、ターミナルバスバ３３、第３ロアモジュールバスバ２６に設けた貫通孔３１２Ａ、３３Ｂ、２６Ａ１に貫通した状態でインナカバー２２２に設けたインサートナット２２２Ｂに螺合される。Ｏリング５は、アッパカバー３１とボルト３４の頭部との間に設けられる。絶縁カバー６は、アッパカバー３１に取り付けて、ボルト３４の頭部を覆う。絶縁カバー６は、上壁３１１と同一平面上になるように設けられた第１板部６１と、第１板部６１の右端から下垂された第２板部６２と、を有し、略Ｌ字状に形成されている。
【００３０】
次に、上述した構成の電池パック１の組み付け手順について説明する。まず、ロアモジュール２と、アッパモジュール３と、をそれぞれ組み付ける。まず、ロアモジュール２の組み付けについて詳しく説明する。第１ロアモジュールバスバ２４を用いて直列接続した複数の電池２１をロアカバー本体２２１に収容する。次に、第２ロアモジュールバスバ２５の第１導電部２５Ａを左端の電池２１の電極に重ねる。
【００３１】
次に、インナカバー２２２をロアカバー本体２２１の開口を塞ぐように周壁２２１Ｂの内側に取り付ける。このとき、インナカバー２２２の貫通孔２２２Ａに第２導電部２５Ｂを通して、第２導電部２５Ｂをインナカバー２２２の上方に突出させる。次に、インナカバー２２２の上方に、遮断器２３を配置し、ボルト２７により第２導電部２５Ｂを遮断器２３の接続部２３１に接続する。また、ボルト２８により遮断器２３の接続部２３２に第３ロアモジュールバスバ２６を接続する。これにより、ロアモジュール２の組み付けが完成する。
【００３２】
次に、アッパモジュール３の組み付けについて詳しく説明する。まず、アッパカバー３１にターミナル３２を取り付ける。なお、インサート成形などによってターミナル３２をアッパカバー３１に一体に形成してもよい。その後、ボルト３４を用いてターミナル３２にターミナルバスバ３３を取り付ける。これにより、アッパモジュール３の組み付けが完成する。
【００３３】
次に、ロアモジュール２にアッパモジュール３を組み付ける。このとき、インナカバー２２２を覆うようにアッパカバー３１をロアカバー本体２２１の周壁２２１Ｂ外側に取り付ける。ロアモジュール２とアッパモジュール３とが組み付けられると、アッパカバー３１の貫通孔３１２Ａ、ターミナルバスバ３３の貫通孔３３Ｂ、第３ロアモジュールバスバ２６の貫通孔２６Ａ１、インナカバー２２２のインサートナット２２２Ｂが重なる。
【００３４】
次に、ボルト４をアッパカバー３１の貫通孔３１２Ａ、ターミナルバスバ３３の貫通孔３３Ｂ、第３ロアモジュールバスバ２６の貫通孔２６Ａ１に挿入した状態でインナカバー２２２のインサートナット２２２Ｂに螺合させる。このとき、アッパカバー３１とボルト４の頭部との間にＯリング５が挟まれるようにする。これにより、ターミナルバスバ３３と第３ロアモジュールバスバ２６とが電気的に接続され、ターミナル３２が電池２１に電気的に接続される。その後、ボルト４の頭部を覆うように絶縁カバー６をアッパカバー３１に取り付けて完成する。
【００３５】
上述した第１実施形態によれば、第３ロアモジュールバスバ２６が、ロアモジュール２に取り付けられ、電池２１に電気的に接続され、ターミナルバスバ３３が、アッパカバー３に取り付けられ、ターミナルに電気的に接続されている。また、アッパカバー３１には、貫通孔３１２Ａが設けられ、貫通孔３１２Ａを通るボルト４によって第３ロアモジュールバスバ２６とターミナルバスバ３３とが電気的に接続されている。これにより、電池２１をロアモジュール２に収容した後、アッパカバー３１を取り付けることができ、組み付けが容易となる。また、アッパカバー３１には、ターミナル３２を取り付けた状態で、ロアモジュール２に取り付けることができるので、アッパカバー３１をロアモジュール２に取り付けた後にターミナル３２を取り付ける必要がなく、気密処理が容易となる。
【００３６】
また、上述した第１実施形態によれば、コストのかかる部品を必要としない。さらに、溶接などを伴わず、一般的な工具や工程で組み付けることができる。
【００３７】
また、上述した第１実施形態によれば、インナカバー２２２には、ボルト４を螺合するインサートナット２２２Ｂが設けられ、第３ロアモジュールバスバ２６は、インナカバー２２２上のアッパカバー３１側に配置され、ボルト４は、第３ロアモジュールバスバ２６及びターミナルバスバ３３を貫通した状態でインサートナット２２２Ｂに螺合して、第３ロアモジュールバスバ２６及びターミナルバスバ３３を接続している。以上の構成によれば、ボルト４により容易に第３ロアモジュールバスバ２６及びターミナルバスバ３３を接続することができる。
【００３８】
また、上述した第１実施形態によれば、インナカバー２２２は、貫通孔２２２Ａが設けられ、第２ロアモジュールバスバ２５は、貫通孔２２２Ａを通ってアッパカバー３１側に突出し、ターミナルバスバ３３は、アッパカバー３１側に突出した第２ロアモジュールバスバ２４に遮断器２３を介して間接的に接続されている。これにより、インナカバー２２２上に配置された第３ロアモジュールバスバ２６に第２ロアモジュールバスバ２５を簡単に接続することができる。
【００３９】
なお、上述した第１実施形態によれば、第３ロアモジュールバスバ２６と第２ロアモジュールバスバ２５とは遮断器２３を介して間接的に接続されていたが、これに限ったものではない。遮断器２３は必須ではなく、第３ロアモジュールバスバ２６と第２ロアモジュールバスバ２５とを直接接続するようにしてもよい。
【００４０】
（第２実施形態）
次に、第２実施形態について図３及び図４を参照して以下説明する。なお、図３及び図４において、図１及び図２について上述した第１実施形態と同等の部分には同一符号を付してその詳細な説明を省略する。第1実施形態では、電池２１の並び方向が図１及び図２に示す左右方向となり、第２実施形態では、電池２１の並び方向及び上下方向の双方と直交する方向が左右方向となっている。
【００４１】
第１実施形態と第２実施形態とで大きく異なる点はターミナルバスバ３３の接続である。第１実施形態では、第３ロアモジュールバスバ２６を第１導電部材とし、ボルト４により第３ロアモジュールバスバ２６とターミナルバスバ３３を接続していた。これに対して、第２実施形態では、遮断器２３を第１導電部材とし、ボルト４により遮断器２３とターミナルバスバ３３を接続する。
【００４２】
電池パック１は、ロアモジュール２と、アッパモジュール３と、ボルト４と、Ｏリング５と、絶縁カバー６と、を備えている。まず、ロアモジュール２について説明する。ロアモジュール２は、電池２１と、ロアカバー２２と、遮断器２３と、第１ロアモジュールバスバ２４（図３及び図４には図示せず）と、第２ロアモジュールバスバ２５と、ボルト２７と、を有している。即ち、第１実施形態では、第３ロアモジュールバスバ２６を設けていたが、第２実施形態では設けられていない。このため、第２実施形態では、ボルト２８も設けられていない。
【００４３】
電池２１については、上述した第１実施形態と同様であるため、同一符号を付してその詳細な説明を省略する。ロアカバー２２は、ロアカバー本体２２１と、インナカバー２２２と、を有している。ロアカバー本体２２１については、上述した第１実施形態と同様であるため、同一符号を付してその詳細な説明を省略する。インナカバー２２２は、第１実施形態と同様に、貫通孔２２２Ａは設けられているが、インサートナット２２２Ｂは設けられていない。また、遮断器２３は、インナカバー２２２の上方に配置された底上げ台２９上に搭載されている。
【００４４】
アッパモジュール３は、アッパカバー３１と、ターミナル３２と、ターミナルバスバ３３と、ボルト３４と、を備えている。アッパカバー３１は、第１実施形態と同様に、上壁３１１、３１２、側壁３１３、周壁３１４を有している。また、第１実施形態では、ボルト４を挿入するための貫通孔３１２Ａ、金属カラー３１２Ｂを上壁３１２に設けていたが、第２実施形態では、ボルト４を通すための貫通孔３１３Ａ、金属カラー３１３Ｂを側壁３１３に設けている。これにより、貫通孔３１３Ａは左右方向に貫通する。
【００４５】
第２実施形態において、ターミナルバスバ３３は、上壁３１２の下側に重ねられる第６電部３３Ｃと、第６導電部３３Ｃの左端部から上方に突出し側壁３１３に重ねられる第７導電部３３Ｄと、を有するＬ字状に形成されている。第６導電部３３Ｃには、ターミナル３２に重なる部分にボルト３４を通すための貫通孔３３Ａが設けられている。第７導電部３３Ｄには、アッパカバー３１の貫通孔３１３Ａに重なる部分にボルト４を通すための貫通孔３３Ｂが設けられている。上述したアッパカバー３１及び第７導電部３３Ｄの貫通孔３１３Ａ、３３Ｂは、ロアモジュール２をアッパモジュール３に組み付けた状態で、遮断器２３の右側の接続部２３２に重ねられるように、底上げ台２９の高さが調整されている。
【００４６】
次に、上述した構成の電池パック１の組み付け手順について説明する。第１実施形態と同様に、ロアモジュール２と、アッパモジュール３と、をそれぞれ組み付ける。ロアモジュール２の組み付けについて詳しく説明する。第１ロアモジュールバスバ２４を用いて直列接続した複数の電池２１をロアカバー本体２２１に収容する。次に、第２ロアモジュールバスバ２５の第１導電部２５Ａを電池２１の電極に重ねる。
【００４７】
次に、インナカバー２２２をロアカバー本体２２１の開口を塞ぐように取り付ける。このとき、インナカバー２２２の挿入孔２２Ａに第２導電部２５Ｂを通して、第２導電部２５Ｂをインナカバー２２２の上方に突出させる。次に、インナカバー２２２の上方に、底上げ台２９を配置し、さらにその上に遮断器２３を配置する。そして、ボルト２７により第２導電部２５Ｂを遮断器２３の接続部２３１に接続する。これにより、ロアモジュール２の組み付けが完成する。
【００４８】
次に、アッパモジュール３の組み付けについて詳しく説明する。第１実施形態と同様に、ボルト３４を用いて、アッパカバー３１に取り付けられたターミナル３２にターミナルバスバ３３を取り付ける。これにより、アッパモジュール３の組み付けが完成する。
【００４９】
次に、ロアモジュール２にアッパモジュール３を組み付ける。このとき、インナカバー２２２を覆うようにアッパカバー３１をロアカバー本体２２１の周壁２２１Ｂ外側に取り付ける。ロアモジュール２とアッパモジュール３とが組み付けられると、アッパカバー３１の貫通孔３１３Ａ、ターミナルバスバ３３の貫通孔３３Ｂ、遮断器２３の接続部２３２が重なる。
【００５０】
次に、ボルト４をアッパカバー３１の貫通孔３１３Ａ、ターミナルバスバ３３の貫通孔３３Ｂに挿入した状態で、遮断器２３の接続部２３２に螺合させる。このとき、アッパカバー３１とボルト４の頭部との間にＯリング５が挟まれるようにする。これにより、ターミナルバスバ３３と遮断器２３とが電気的に接続され、ターミナル３２が電池２１に電気的に接続される。その後、ボルト４の頭部を覆うように絶縁カバー６をアッパカバー３１に取り付けて完成する。
【００５１】
上述した第２実施形態によれば、ボルト４は、ターミナルバスバ３３を貫通した状態で遮断器２３の接続部２３２（一対の接続部２３１、２３２の一方）に螺合して、遮断器２３及びターミナルバスバ３３を接続する。これにより、第１実施形態に比べてボルト２８の取り付けが不要となり、より一層、組み付けが容易となる。
【００５２】
また、上述した第２実施形態によれば、ロアモジュール２は、電池２１を収容するロアカバー本体２２１と、ロアカバー本体２２１のアッパカバー３１側を覆うインナカバー２２２と、を有し、インナカバー２２２は、貫通孔２２２Ａが設けられ、第２ロアモジュールバスバ２５は、貫通孔２２２Ａを通ってアッパカバー３１側に突出し、遮断器２３は、アッパカバー３１側に突出した第２ロアモジュールバスバ２５を貫通した状態でボルト２７を接続部２３１（一対の接続部２３１、２３２の他方）に螺合することにより、第２ロアモジュールバスバ２５に接続される。これにより、インナカバー２２２上に配置された遮断器２３に第２ロアモジュールバスバ２５を簡単に接続することができる。
【００５３】
また、上述した第２実施形態によれば、接続部２３１、２３２がインナカバー２２２と平行方向になるようにインナカバー２２２に搭載され、アッパカバー３１は、上壁３１２よりも突出する突出部が設けられ、突出部の側壁３１３（側面）に貫通孔３１３Ａが設けられている。これにより、インナカバー２２２上に配置された遮断器２３にターミナルバスバ３３を簡単に接続することができる。
【００５４】
なお、上述した実施形態によれば、電気部品としては遮断器２３を用いていたが、これに限ったものではない。電気部品としては、温度センサであってもよいし、電圧検出部であってもよい。
【００５５】
なお、本発明は上記実施形態に限定されるものではない。即ち、本発明の骨子を逸脱しない範囲で種々変形して実施することができる。
【符号の説明】
【００５６】
１  電池パック
４  ボルト（第１ボルト）
２１  電池
２２  ロアカバー（収容部）
２３  遮断器（第１導電部材、電気部品）
２２１  ロアカバー本体（収容部本体）
２２２  インナカバー（中カバー）
２２２Ａ  貫通孔（第２貫通孔）
２２２Ｂ  インサートナット（第１ネジ孔）
２３１、２３２  接続部（第２ネジ孔）
２５  第２ロアモジュールバスバ（第３導電部材）
２６  第３ロアモジュールバスバ（第１導電部材）
２７  ボルト（第２ボルト）
３１  アッパカバー（外カバー）
３２  ターミナル（外部端子）
３３  ターミナルバスバ（第２導電部材）
３１３  側壁（側面）
３１３Ａ  貫通孔（第１貫通孔）
３１５  突出部
【図１】
2019114429.tif 000003
【図２】
2019114429.tif 000004
【図３】
2019114429.tif 000005
【図４】
2019114429.tif 000006